(57)【要約】本発明の制御システムは放射エネルギーに応答する電気負荷制御装置及び送信機を含む。送信機は、各々が互いに反転された状態で電気回路に接続されている、２組の放射エネルギー発生器を含む。送信機の透過性の筐体は放射エネルギー発生器の支持表面に対して斜角を持つように方向付けられたデフレクターを画定するへこみ部分を含む。送信機（４６）は電気負荷制御装置の裏面カバーに取り付けるためにブラケット（６０）に固定される。制御システムはまた、アクチュエーター（３０、３２）への応答で、または放射エネルギー信号への応答で電気命令信号を生成する主制御装置（１２）を含む。制御システムはさらに、主制御装置がアクチュエーターへの応答のみで、命令信号を生成するように、主制御装置の動作を制限することが可能である。送信機用の電源（１００）フィルターコンデンサー及び電源コンデンサー（１０２）と直列に接続された抵抗器、並びに、抵抗器と並列に接続されたダイオードを含むフィルター回路（１０８）を含む。
2004538611.tif 000002
【特許請求の範囲】
【請求項１】
制御システムであって：
放射エネルギーの形式の命令信号に応答する、少なくとも１つの電気負荷制御装置；及び、
前記少なくとも１つの電気負荷制御装置によって受信される放射エネルギーの形式の命令信号を発生するための送信機であって、前記送信機は電気信号の形式で命令信号を受信するための１組の導電性の端子を備え、前記送信機はさらに各々が電気回路に接続するための極性を持った２組の放射エネルギー発生器を備え、前記放射エネルギー発生器は前記導電性の端子を備えた電気回路に機能可能に接続しており、前記放射エネルギー発生器は前記２組の放射エネルギー発生器の一方の極性がもう一方の放射エネルギー発生器の極性に対して反転するように前記電気回路に接続しており、前記放射エネルギー発生器はさらに前記２組の放射エネルギー発生器が互いに並列になるように接続されていることを特徴とする送信機、
から成る制御システム。
【請求項２】
前記放射エネルギー発生器の各々が赤外線エネルギーを生成し、前記送信機が前記放射エネルギー発生器を囲むように構成された、赤外線透過性の筐体を含む、請求項１に記載の制御システム。
【請求項３】
前記放射エネルギー発生器が実質的に平面状の表面を画定する支持部材上に取り付けられたＬＥＤであり、前記筐体が互いに対向した状態で配置された１組のへこみ部分を含み、少なくとも１つのＬＥＤが前記へこみ部分の各々の付近に配置されている、請求項２に記載の制御システム。
【請求項４】
前記へこみ部分の各々が実質的に平面状のデフレクター部分を画定し、前記デフレクター部分が前記ＬＥＤ支持部材の表面に対して斜角に方向付けられている、請求項３に記載の制御システム。
【請求項５】
前記ＬＥＤの各々が前記筐体の対応するデフレクター部分に向かってＩＲ放射線の円錐を照射するように構成されており、前記ＩＲ放射線の円錐の大部分の赤外線エネルギーが前記ＬＥＤ支部部材の表面に対して実質的に平行方向に反射されるように前記デフレクター部分が方向付けられている、請求項４に記載の制御システム。
【請求項６】
前記少なくとも１つの電気負荷制御装置が赤外線透過性の裏面カバーを備えた調光装置であり、前記送信機が取付け用ブラケットに取り付けられており、前記取付け用ブラケットが前記調光装置の裏面カバーの側壁に結合するための、第１のクリップの組を備えている、請求項１に記載の制御システム。
【請求項７】
前記取付け用ブラケットが、前記調光装置の前記裏面カバーが固定されるヨーク部と結合するための、第２のクリップの組を含み、前記取付け用ブラケットが前記ヨーク部を介した前記送信機の接地用接続を可能にするために電気伝導性である、請求項１に記載の制御システム。
【請求項８】
少なくとも１つのＬＥＤドライバを備えた赤外線送信機のための電源であって：
電源コンデンサー；
フィルターコンデンサー及び前記ＬＥＤドライバに電流パルスを供給するために前記電源コンデンサーと直列に接続された抵抗器から成るフィルター回路；及び、
前記フィルターコンデンサーと前記電源コンデンサーとの間に分離を与えるために、前記フィルター回路の前記抵抗器と並列に接続されたダイオード、
を備える電源。
【請求項９】
制御システムであって：
放射エネルギーの形式の命令信号に応答する、少なくとも１つの電気負荷制御装置；
前記少なくとも１つの電気負荷制御装置によって受信される放射エネルギーの形式の命令信号を生成することが可能な、少なくとも１つの放射エネルギー発生器；及び、
前記放射エネルギー発生器からの放射エネルギーの少なくとも一部を所望の方向にそらせるために、前記少なくとも１つの放射エネルギー発生器と前記少なくとも１つの電気負荷制御装置との間に配置された放射エネルギーデフレクター、
から成る制御システム。
【請求項１０】
前記少なくとも１つの放射エネルギー発生器の各々が赤外線エネルギーを生成するＬＥＤであり、前記制御システムがさらに前記少なくとも１つのＬＥＤを囲むように構成された赤外線透過性の筐体を備え、前記放射エネルギーデフレクターが前記筐体の、ＬＥＤの付近に配置された実質的に平面状の部分によって画定されている、請求項９に記載の制御システム。
【請求項１１】
前記少なくとも１つのＬＥＤが実質的に平面状の支持表面を有する支持部材上に支持されており、前記デフレクターが前記ＬＥＤ支持表面に対して斜角に方向付けられている、請求項１０に記載の制御システム。
【請求項１２】
前記少なくとも１つのＬＥＤが前記デフレクターに向けられる赤外線エネルギーの円錐を生成するように構成されている、請求項１１に記載の制御システム。
【請求項１３】
前記ＬＥＤによって生成された前記赤外線エネルギーの円錐が約３０°の半角を有する、請求項１２に記載の制御システム。
【請求項１４】
制御システムであって：
放射エネルギーの形式の命令信号に応答する、少なくとも１つの電気負荷制御装置；
電気信号の受信への応答で放射エネルギーの形式の命令信号を送信することが可能な送信機；
前記送信機に接続している電気伝導性のワイヤ；及び、
前記ワイヤの前記送信機に対して反対側に接続されている主制御装置であって、前記主制御装置は前記導電性ワイヤを介して前記送信機に電気命令信号を伝達するために電気命令信号を生成し、前記主制御装置は前記主制御装置による電気命令信号の生成のためにユーザーによって操作可能な、少なくとも１つのアクチュエーターを備え、前記主制御装置は放射エネルギー受信機を備え、前記主制御装置はさらに前記送信機に信号を中継するために、放射エネルギー信号の受信への応答で電気命令信号を生成することが可能であることを特徴とする主制御装置、
から成る制御システムであって、前記制御システムはさらに、前記主制御装置が前記少なくとも１つのアクチュエーターの使用への応答でのみ、前記電気命令信号を生成するように、前記主制御装置が前記放射エネルギーの受信への応答で前記電気命令信号を生成することを不可能にするように設定することが可能であることを特徴とする制御システム。
【請求項１５】
前記送信機が赤外線エネルギーを生成することが可能な複数のＬＥＤを含む、請求項１４に記載の制御システム。
【請求項１６】
前記少なくとも１つの電気負荷制御装置が裏面カバーを備える調光装置であり、前記送信機が前記調光装置の裏面カバーに固定されている、請求項１４に記載の制御システム。
【請求項１７】
前記少なくとも１つの電気負荷制御装置が電源ボックス内に配置された複数の調光装置を含み、前記送信機が前記複数の調光装置のうちの中央に配置された調光装置に固定されている、請求項１６に記載の制御システム。
【請求項１８】
制御システムであって：
放射エネルギーの形式の命令信号を生成するために少なくとも１つの放射エネルギー発生器を備えた送信機；
放射エネルギーの形式の命令信号に応答する、少なくとも１つの電気負荷制御装置であって、前記送信機によって生成された放射エネルギーに対して透過性のカバー部分を有する電気負荷制御装置；及び、
前記送信機を前記電気負荷制御装に取り付けるための送信機支持用ブラケットであって、前記少なくとも１つの放射エネルギー発生器を前記電気負荷制御装置に対して位置付けるために前記電気負荷制御装置の前記カバー部分に結合するブラケット、
から成る制御システム。
【請求項１９】
前記少なくとも１つの電気負荷制御装置が前記送信機によって生成された放射エネルギーに対して透過性の裏面カバーを備えた調光装置であり、前記ブラケットが前記裏面カバーの側壁に結合するように構成された第１のクリップの組を含む、請求項１８に記載の制御システム。
【請求項２０】
前記調光装置の前記裏面カバーがヨークに固定されており、前記ブラケットが前記ヨークに結合するように構成された第２のクリップの組を含み、前記ブラケットが前記送信機の前記ヨークを介した接地用接続を与えるために電気伝導性である、請求項１９に記載の制御システム。
【発明の詳細な説明】
【技術分野】
【０００１】
本願は２００１年８月３日に出願された米国特許出願No.60/309,929の優先権を主張し、その特許出願の内容は本願に参照として取り込まれるものとする。
【０００２】
本発明は調光装置（または、ディマー）、特に、主制御装置（または、マスター制御装置）が複数の調光装置と通信する調光装置システムに関する。
【背景技術】
【０００３】
光の強度を制御するための調光装置（または、ディマー）は急激に普及してきている。調光装置は印加されたＡＣ正弦波電圧の位相角度を変化させるために、通常、トライアック、シリコン制御式整流器、または、電界効果型トランジスタ等の固体素子（または、半導体素子）を利用している。従来の調光装置は通常、赤外線領域の放射エネルギーの形式で、調光装置に向けられた命令信号に応答する。調光装置に備えられた赤外線透過性窓部または赤外線透過性部分は命令信号が調光装置内に収容されたＩＲ受信機（または、赤外線受信機）に到達することを可能にする。
【０００４】
ＩＲ応答性（または、赤外線応答性）の調光装置は、１つのＩＲ放射源から放射されたＩＲ命令信号（または、赤外線命令信号）が複数の調光装置によって受信されるように、ＩＲ命令信号が「噴出的に（または、四方八方に）」放射される調光システムを可能にする。１つのＩＲ源（または、赤外線源）からの命令信号が複数の調光装置に通信される赤外線放射を利用した調光システムの１つの例はLutron Electronics Co., Inc（Coopersburg, Pennsylvania）によって販売されているSPACER SYSTEMである。SPACER SYSTEMは主制御装置（または、マスター制御装置）の内部に配置されたＩＲ放射源（または、赤外線放射源）からの命令信号が主制御装置から調光装置を収容している電源ボックス内に向かって外側に「噴出的に（または、四方八方に）」放射されることを可能にする、光学的に透明な裏側のカバーを備えた主制御装置を利用している。このシステムはまた、同一の電源ボックス内に収容された複数の調光装置を含む。各調光装置は光学的に透明な裏側のカバー及び内部に配置されたＩＲ受信機（または、赤外線受信機）を含む。各調光装置のＩＲ受信機は主制御装置から電源ボックス内に放射された赤外線命令信号を受信する。このシステムはLutron Electronics Co., Inc.（本出願人）に譲渡された米国特許No.6,380,696（米国特許出願No.09/220,632）に開示されている。
【発明の開示】
【発明が解決しようとする課題】
【０００５】
本発明の１つの目的は少なくとも１つの主制御装置（または、マスター制御装置）及び少なくとも１つの調光装置（または、ディマー）を備えた調光装置システムにおいて、改善した調光装置の制御方法を提供することである。また、本発明のもう１つの目的は改善した特性を有する、特に、送信機のための電源回路を提供することである。
【課題を解決するための手段】
【０００６】
本発明の１つの特徴に従うと、本発明の制御システムは放射エネルギーの形式の命令信号に応答する、少なくとも１つの電気負荷制御装置を含む。制御システムはさらに、少なくとも１つの電気負荷制御装置によって受信される放射エネルギーの形式の命令信号を生成するための送信機を含む。送信機は電気信号の形式で命令信号を受信するための導電性の端子の組を含む。送信機はさらに、各々が電気回路への接続のための極性を持った、２組の放射エネルギー発生器を含む。放射エネルギー発生器は、２組の発生器のうちの、一方の発生器の組の極性がもう一方の発生器の組の極性に対して反転するように、導電性の端子を含む電気回路に機能可能に接続される。放射エネルギー発生器はさらに、２組の発生器が互いに並行に接続されるように、電気回路に接続される。
【０００７】
本発明のもう１つの特徴に従うと、本発明の制御システムは放射エネルギーの形式の命令信号に応答する、少なくとも１つの電気負荷制御装置及び、放射エネルギーの形式で命令信号を発生する送信機を含む。制御システムはさらに、送信機からの放射エネルギーの少なくとも一部を所望の方向にそらすために（または、反射するために）、送信機と電気負荷制御装置との間に配置された放射エネルギーデフレクターを含む。
【０００８】
本発明のもう１つの特徴に従うと、本発明の制御システムは放射エネルギーの形式の命令信号に応答する、少なくとも１つの電気負荷制御装置及び、電気信号の受信への応答で、放射エネルギーの形式で命令信号を送信することが可能な送信機を含む。送信機は導電性のワイヤによって主制御装置（または、マスター制御装置）に接続され、主制御装置は伝導性のワイヤを介して送信機に命令信号を伝達するための電気命令信号を生成する。主制御装置は、主制御装置による電気命令信号の生成のためにユーザーがアクセス可能な（または、ユーザーが操作可能な）、少なくとも１つのアクチュエーター（または、作動器）及び、放射エネルギー受信機を含む。主制御装置は信号を送信機に中継（または、伝達）するために、放射エネルギー信号の受信への応答で電気命令信号を生成することが可能である。制御システムはまた、主制御装置が少なくとも１つのアクチュエーターの使用への応答でのみ電気信号を生成するように、主制御装置が放射エネルギー信号の受信への応答で電気信号を生成することを防止することが可能である。
【０００９】
本発明のもう１つの特徴に従うと、本発明の制御システムは放射エネルギーの形式で命令信号を生成するための、少なくとも１つの放射エネルギー発生器及び、放射エネルギーの形式の命令信号に応答する、少なくとも１つの電気負荷制御装置を含む。電気負荷制御装置は送信機の放射エネルギーに対して透過性（または、伝達性）を有するカバー部分を含む。制御システムはさらに、送信機を電気負荷制御装置に取り付けるために、送信機を支持するブラケット（または、取付け具）を含む。ブラケットは少なくとも１つの放射エネルギー発生器を電気負荷制御装置に対して位置付けるために、電気負荷制御装置のカバー部分に結合する。
【００１０】
本発明のもう１つの特徴に従うと、赤外線送信機のための電源は少なくとも１つのＬＥＤドライバ（または、ＬＥＤ駆動装置）を備える。電源は電源コンデンサー及びフィルター回路を含み、フィルター回路はフィルターコンデンサー及び電源コンデンサーと直列に接続された抵抗器を含む。電源はさらに、フィルターコンデンサーと電源コンデンサーとの間に分離（または、絶縁）を与えるために、フィルター回路の抵抗器に対して並列に接続されたダイオードを含む。
【発明を実施するための最良の形態】
【００１１】
図面において、同一または同様な部材は同一または同様な数字または記号で示されている。本発明の制御システム１０は図１に概略的に示されているように、電源ボックス（または、壁等に設置された電源やスイッチ等を含む箱。以下、単に電源ボックスと呼ぶ）１４内に配置された主制御装置（または、マスター制御装置）１２を含む。高（HOT）ワイヤ及び中性（NEUTRAL）ワイヤは主制御装置１２を、周知の方法で、例えば、住居の電力分配パネル等の電源に接続する。
【００１２】
制御システム１０はまた、それぞれ別個の、第２及び第３の電源ボックス１８及び２０内に配置された２組の調光装置（または、ディマー）１６を含む。図１に示されているように、主制御装置１２が配置されている第１電源ボックス１４は、調光装置１６が配置されている第２及び第３の電源ボックス１８及び２０とは別個のものである。各調光装置１６は、例えば、ライト等の電気負荷に供給される電流を制御することが可能である。
【００１３】
本発明の制御システムで使用可能な適当な主制御装置１２及び調光装置１６は米国特許No.6,380,696（米国特許出願No.09/220,632）に開示された装置等である。（上記特許出願は本願に参照として組み込まれるものとする。）調光装置の特徴及び操作は米国特許No.5,248,919やNo.5,909,087等に開示されている。（上記特許出願は本願に参照として組み込まれるものとする。）各調光装置１６は単一の非ラッチ式スイッチ（non-latching switch）のための大きめのアクチュエーター（または、作動器）を含む。大きめのアクチュエーターの境界内には、（窓２４の後方に配置されている）赤外線受信機による赤外線信号の受信を可能にするための赤外線受信用窓２４が配置されている。これらの赤外線信号は、例えば、携帯式のリモコン（または、遠隔制御器）から送信されてもよい。調光装置１６はさらに、関連する電気負荷の光のレベルを上げたり下げたりするための、ユーザーが調節可能な強度用アクチュエーター（または、強度用作動器）２６を含む。ＬＥＤの配列２８は取り付けられた負荷の光のレベルに対する情報を含む情報を表示する。調光装置は、例えば、所望の光の「シーン」に関連付けられた、予め決められた光のレベルを記憶する能力を有してもよい。調光装置は、調光装置を、例えば調光装置自体に記憶された、予め決められた光のレベルに設定するために、ＩＲ受信機（または、赤外線受信機）によって受信された赤外線命令信号に応答してもよい。
【００１４】
主制御装置１２は「オン」アクチュエーター３０、「オフ」アクチュエーター３２、４つのプリセットアクチュエーター（または、４つの予め決められた光のレベルに対応したアクチュエーター）３４、強度用アクチュエーター３６、ＬＥＤ表示器３８、及びプリセットアクチュエーター３４の１つに配置されたＩＲ受信用窓（または、赤外線受信用窓）４０を含む。主制御装置は、例えば、調光装置を調光装置自体に記憶された、プリセットされた（または、予め決められた）光のレベルにするための設定を含む、調光装置への制御信号の出力等の、多様な機能を実施するマイクロプロセッサー（図示せず）を含んでもよい。
【００１５】
調光装置システム１０は、本願において、トラベラーワイヤ（traveler wire）４２及び４４と呼ばれる、調光装置制御信号を第１電源ボックス１４内の主制御装置１２から第２及び第３電源ボックス１８及び２０内に配置された調光装置１６に伝達するための、一組の電気導線の組を含む。トラベラーワイヤは好まれるものとして、少なくともNo.14AWGである。図１に示されているように、各トラベラーワイヤ４２、４４は制御信号を主制御装置１２から第２及び第３の電源ボックス１８、２０内に別個に配置された調光装置１６の組に伝達するために、それぞれ、別個のトラベラーワイヤ４２Ａ、４２Ｂ及び４４Ａ、４４Ｂに分岐する。
【００１６】
制御システム１０は各調光装置１６の組を収容している各電源ボックス１８、２０に対応する（または、各電源ボックス１８、２０に結合した）ＩＲ送信機（または、赤外線送信機）４６を含む。各ＩＲ送信機４６は、主制御装置からの調光装置制御信号を受信するために、どちらか一方のトラベラーワイヤの組（４２Ａ,４２Ｂ、または、４４Ａ,４４Ｂ）に接続されている。図１に概略的に示されているように、各ＩＲ送信機４６は、ＩＲ送信機が調光装置用電源ボックス内に配置された調光装置の１つの後方に配置されるように、調光装置１６の裏側のカバー（以下、単に裏面カバーと呼ぶ）に取り外し可能な状態で取り付けられている。
【００１７】
図２−９を参照すると、電源ボックス１８に取り付けられたＩＲ送信機の構成及び動作が詳細に図示されている。ここで、電源ボックス２０のＩＲ送信機４６も図２−９に示されているＩＲ送信機と同様な構造及び機能を持つことに注意しなければならない。送信機４６は可視光線及びＩＲ光線（または、赤外線）の両方に対して透過性の（または、伝達性の）、光学的に透明な筐体４８を含む。光学的に透明な筐体４８を形成するために適当な材料はGeneral Electricから入手可能なLexan樹脂番号241Rである。
【００１８】
ＩＲ送信機４６は、筐体４８内に拡張するトラベラーワイヤ４２Ａ及び４４Ａの導線リード５４を受信するための、１組の直立した脚部５２を備える導電性端子５０を含む。端子５０はプリント回路基板５６の上面に支持されている。送信機４６はＩＲ送信機の筐体４８を通してＩＲ受信機にＩＲ命令信号を「噴出的に（または、四方八方に）」放射するための赤外線放射線源となるＬＥＤ５８Ａ−５８Ｄを含む。図２及び３に示されているように、ＬＥＤ５８Ａ−５８Ｄは、ＬＥＤ５８Ａ及び５８Ｂが細長の筐体４８上でＬＥＤ５８Ｃ及び５８Ｄに対して反対側の端に配置されるように、配置される。ＬＥＤは図１０に示されているように、電気的に反並行な状態で構成される。この構成は極性に依存しない配線を与える。すなわち、端子５０のどちらが対応するトラベラーワイヤ４２Ａ、４４Ａに接続されたかにかかわらず、（送信機に電圧が印加されたときは）筐体の各端に配置されたＬＥＤ５８Ａ−５８Ｄのうち、（印加された電圧の極性にかかわらず）常にどちらか一方の組がＩＲ信号を放射する。
【００１９】
ＩＲ送信機４６はまた、ＩＲ送信機４６を調光装置１６の１つに取り付けるために、好まれるものとしてステンレススチール等の電気伝導性材料から作製された取付け用ブラケット（または、取付け具）６０を含む。取付け用ブラケットは、送信機４６が調光装置１６の裏面カバー６２の付近に配置されるように、送信機を調光装置に取り付ける。裏面カバー６２は、送信機４６から放射されたＩＲ信号の裏面カバー６２に覆われたＩＲ受信機への経路の確立を可能にするために、送信機筐体４８と同様に、Lexan樹脂材料等の、光学的に透明な材料から作製される。送信機４６は好まれるものとして、ＩＲ信号が調光装置の組の全ての調光装置１６に伝達（または、放射）されることを容易にするために、調光装置の組の中央付近に配置された調光装置１６に取り付けられる。
【００２０】
取付け用ブラケット６０はプリント回路基板５８及び筐体４８を支持するための、概略的に平面の支持部分６４を含む。支持部分は筐体４８を取り外し可能な様式で取付け用ブラケット６０に取り付けるために、筐体４８のタブ６８を受容するためのスロット６６を含む。取付け用ブラケット６０はさらに、支持部分６４の面に対して概略垂直方向に拡張する位置付け用クリップ７０を含む。図４及び５に図示されているように、第１のクリップの組７０は調光装置の裏面カバー６２の側壁７２によって受容される。位置付け用クリップ７０の主な機能は図５に示されているように、送信機４６を調光装置１６に対して中央に配置することである。
【００２１】
取付け用ブラケットはまた、送信機４６を調光装置１６に取り付けるための主要な手段を与える、取付け用クリップ７４を含む。第２のクリップの組７４はチャネル部分（または、溝部分）７６を形成するＵ型の断面を持つ。クリップ７４は支持部分６４からクリップ７０に対して反対方向に拡張した拡張部分７８から拡張している。図５に図示されているように、クリップ７４は、ヨーク部（または、くびき部）８０の端部分８２がクリップ７４のチャネル部７６内に受容されるように、調光装置１６のヨーク部８０に結合する。図５に示されているように、取付け用ブラケット６０のクリップ７０及び７４によって与えられる送信機４６の取付け及び位置付けは筐体４８を裏面カバー６２の付近に方向付ける（または、位置付ける）。この構成はＩＲ信号が裏面カバーを介して調光装置１６に放射されることを容易にする。
【００２２】
取付け用ブラケット６０に対する電気伝導性材料の使用は、ＩＲ送信機をヨーク８０を介して電源ボックスに接地するために取付け用ブラケットを使用することを可能にする。この構成は電源ボックス内の接地用接続を形成するための、専用の接地用ワイヤの必要性を排除する。
【００２３】
図６Ａ−Ｆを参照すると、筐体４８の構成が詳細に図示されている。図６Ａ及び６Ｄに図示されているように、筐体は筐体４８を介したトラベラーワイヤ４２Ａ、４４Ａの経路を与えるために、一方の側部に円いノッチ（または、溝）８４を含む。筐体４８の下側の端に沿ったノッチの配置は導電性リード５４が端子５０の脚部に結合したときに、筐体の取付け用ブラケット６０への取付け特性を高める。筐体４８はまた、図６Ｄに図示されているように、筐体から下方に拡張するポスト（または、支柱）８６を含む。ポストは（図３に図示されているように）プリント回路基板５６の位置付け用穴８７に結合する。
【００２４】
ポスト８６は２つの主要な機能を持つ。まず、ポストは筐体４８が取付け用ブラケット６０内にスナップ式に結合されるときに、プリント回路基板５６を一時的に筐体４８内に配置するために役立つ。ポスト８６はまた、プリント回路基板５６に取り付けられたＬＥＤ５８Ａ−５８Ｄが筐体にぶつかることを防止するために利用される。図６Ｄに示されているように、筐体はＬＥＤ５８Ａ−５８Ｄと筐体４８の上部との間の分離を維持するために利用される、各ポスト８６の周囲の肩部分を含む。
【００２５】
筐体４８はさらに、筐体全体を横方向に拡張する、中央のリブ８９を含む。中央のリブ８９はポスト８６の肩部分と協働し、タブ６８がスロット６６と結合したときに、プリント回路基板５６を筐体４８と取付け用ブラケット６０の間に固定するために利用される。この構成はプリント回路基板５６が筐体４８内でふらつくことを防止する。中央のリブ８９はまた、ポスト８６の肩部分と協働し、ＬＥＤ５８Ａ−５８Ｄが筐体４８に衝突することを防止するために役立つ。横方向に拡張している中央のリブ８９はさらに、筐体４８を二分し、トラベラーワイヤ４２Ａ、４４Ａのリード５４の間に付加的な電気的絶縁を与える。
【００２６】
図６Ａ−６Ｄ並びに図７及び８に図示されているように、筐体４８は筐体の上部９０から内側に拡張している１組のへこみ部分８８を含む。各へこみ部分は概略平面の第１及び第２の脚部９２及び９４を含む。図８に図示されているように、第１脚部９２の上部９０に対する角度は第２脚部９４の角度より小さく、したがって、第１脚部９２は第２脚部９４より長い。へこみ部分８８は、筐体がプリント回路基板に固定されたときに、ＬＥＤ５８Ａ−５８Ｄが第２脚部９２の下側に配置されるように、筐体４８に配置される。この構成は図７及び８に図示されている。
【００２７】
筐体４８のへこみ部分８８はＬＥＤ５８Ａ−５８Ｄから放射されたＩＲ放射線を方向付けるために利用される。送信機４６から照射されたＩＲの方向はＬＥＤ５８Ａ−５８Ｄの構造によってさらに増強される。例としてＬＥＤ５８Ａを図示している図９に図示されているように、ＬＥＤはＩＲ放射線の円錐が３０°の半角（half-angle）を有するように、プリント回路基板５６の平面に対して上方に向けられるように構成される。ＩＲ光の円錐がへこみ部８８の第１脚部（または、デフレクター）９２に衝突すると、ＩＲ光の大部分、約８０％、は細長の筐体４８の両端の一方を通ってプリント回路基板５６に対して平行な方向に反射される。ＩＲ光の一部、約２０％、は第１脚部（または、デフレクター）を通って垂直方向に進む。ＩＲ放射線をこのような構成によってそらす（または、反射する）ことにより、ＩＲ送信機が調光装置の組のうちの、中央に配置された調光装置１６に取り付けられたときに、ＩＲ信号が外側に配置された調光装置１６に向かって、外側に放射されることを促進する。
【００２８】
図１０を参照すると、ＬＥＤ５８Ａ−５８Ｄに対する配線構成が示されている。図から判るように、（発光）ダイオードは２組の（発光）ダイオードが互いに平行になるように配置されている。ＬＥＤ５８Ａ及び５８Ｃは第１の組を形成し、ＬＥＤ５８Ｂ及び５８Ｄは第２の組を形成する。ＬＥＤは第１の組のＬＥＤの極性が第２の組のＬＥＤに対して反転するように電気回路内で接続されている。この２組のＬＥＤの「反並行」の構成は、どちらの端子５０がトラベラーワイヤ４２Ａ及び４４Ａに接続されたかにかかわらず、常にどちらか一方の組が赤外線信号を生成するように動作することを確実にする。この様式により、トラベラーワイヤの接続は極性に無関係なものとなり、選択された接続に依存せずに、常に細長の筐体の両端のからＩＲ信号が放射される。
【００２９】
図１１−１３を参照すると、ＩＲ送信機のための、本発明の改善された電源システムが示されている。図１１に示されているように、主制御装置システム１０のための電源は電源コンデンサー１０２を備える電源回路１００を含む。主制御装置１２から拡張するトラベラーワイヤ４２、４４は通常、グランド電位に対して１２０Ｖである。図１１に示されているように、送信機４６のＬＥＤ５８Ａ−５８Ｄを駆動するために必要な電圧は１３Ｖの別電源によって供給される。この１３Ｖの電源はＩＲＬＥＤ５８Ａ−５８Ｄに電力供給するために、５Ｖ電圧調整器１０４を駆動するために、さらに、ＬＥＤ５８Ａ−５８Ｄのドライバ（または、駆動装置）を動作させる電流パルスを供給するために使用される。
【００３０】
本発明の電源は、図１１に点線で囲まれて示されている、ＬＥＤドライバを動作させるための改善されたフィルター１０８を備えている。図１２を参照すると、フィルター１０８はフィルター抵抗１１０及びコンデンサー１１２を含む。抵抗／コンデンサー（Ｒ−Ｃ）回路の使用はコンデンサー１０２等の主電源コンデンサーから、ＬＥＤドライバ等のノイズ性の回路を動作させるための典型的な方法である。しかしながら、Ｒ−Ｃ回路だけでは主電源コンデンサーをＬＥＤドライバの動作によって生ずる、鋭い電流スパイクから保護することができない可能性がある。Ｒ−Ｃ回路によって与えられる２つのコンデンサーの間の分離の欠如はフィルターコンデンサー及び主電源コンデンサーから電荷が引き抜かれる結果を引き起こす可能性がある。結果として、主電源の特性が劣化する可能性がある。
【００３１】
本発明の改善されたフィルター１０８はＬＥＤドライバ１０６によって主電源コンデンサー１０２から直接的に引き抜かれる可能性がある電流の量を制限するために利用されるダイオード１１４を含む。ダイオード１１４は抵抗器１１０に対して並行に配置されている。このダイオードの導入はＲ−Ｃ回路のフィルター特性に影響を与えない。図１３を参照すると、ダイオードの付加による電源ラインへの影響のグラフが示されている。ダイオード１１４の付加は主電源コンデンサー１０２から引き抜かれる電荷の量を制限する。図１３に示されているように、ダイオード１１４の付加は、ダイオード１１４が無い場合（BEFORE）に電源ラインに現れる電圧スパイクを減少させる（AFTER）。
【００３２】
図１４及び１５には本発明の２つの動作モードがそれぞれ示されている。本発明の調光装置システム１０は制御システム１０が２つのモードの間のトグル機能（または、切換え機能）を有する。各調光装置１６は調光装置の前面のＩＲ窓２４を通ってＩＲ信号を受信することが可能である。各調光装置１６はまた、調光装置の後方から、電源ボックスの裏面カバーを通してＩＲ信号を受信することが可能である。この構成は（例えば、携帯式のリモコン等から）窓２４を介して赤外線信号を直接受信することによるＩＲ信号の受信と、ＩＲ送信機４６を介して主制御装置１２から調光装置１６に中継（または、伝達）される間接的な信号の受信との間に「衝突」を発生する可能性がある。
【００３３】
図１４を参照すると、動作の第１のモードまたは「ルーム」モードの状態が示されている。動作の「ルーム」モードは直接的なＩＲ信号と間接的に中継されるＩＲ信号とが衝突する可能性があるような状況のときに便利である。このような状況は、例えば、主制御装置１２及び調光装置１６を収容している電源ボックスが同じ部屋（ルーム）に配置されている場合に発生する可能性がある。ルームモードの場合、主制御装置１２は携帯式のリモコン等から放射され、主制御装置１２によって受信されたＩＲ信号が主制御装置から中継されることを不可能にする。主制御装置１２は受信したＩＲ信号を中継することができないが、主制御装置は、図１に示されている主制御装置１２の（ユーザーによる）アクチュエーターの使用への応答で、調光装置１６に直接的にＩＲ信号を送信する能力を維持してもよい。
【００３４】
図１５を参照すると、動作の第２のモードまたは「クロゼット」モードの状態が示されている。この動作モードは直接的なＩＲ信号と間接的に中継されるＩＲ信号との衝突が制限されている（または、限定されている）ような状況のときに便利である。このような状況は、例えば、壁等の物理的な障壁４７が主制御装置１２の電源ボックスと調光装置１６の電源ボックスとの間に配置されているようなときに起こる。「クロゼット」モードに設定された場合、主制御装置１２は主制御装置の（ユーザーによる）アクチュエーターの使用、または、主制御装置によって受信されたＩＲ信号のどちらか、または両方への応答で、ＩＲ命令信号を送信機４６を介して調光装置１６に送信することが可能である。
【図面の簡単な説明】
【００３５】
【図１】本発明に従った調光装置システムの概略的な図である。
【図２】取付け用ブラケットに取り付けられた、本発明に従った遠隔赤外線送信機の斜視図である。
【図３】図２の遠隔赤外線送信機及び取付け用ブラケットの分解斜視図である。
【図４】調光装置の裏面カバーの付近に配置された、図２の遠隔赤外線送信機及び取付け用ブラケットの斜視図である。
【図５】調光装置の裏面カバーに結合した、図２の遠隔赤外線送信機及び取付け用ブラケットの斜視図である。
【図６Ａ】図２の遠隔赤外線送信機の筐体の斜視図である。
【図６Ｂ】図６Ａの筐体の底面図である。
【図６Ｃ】図６Ａの筐体の側面図である。
【図６Ｄ】図６Ｂの筐体を線Ａ−Ａで切り取ったときの断面図である。
【図６Ｅ】図６Ｃの筐体を線Ｂ−Ｂで切り取ったときの断面図である。
【図６Ｆ】図６Ａの筐体の側面図（正面図）である。
【図７】本発明に従った筐体及び遠隔赤外線送信機のＬＥＤの上面図である。
【図８】図７の筐体及びＬＥＤの側面図である。
【図９】図７及び８のＬＥＤの１つの特徴図である。
【図１０】本発明に従った遠隔赤外線送信機の回路図である。
【図１１】本発明に従った遠隔赤外線送信機のための電源回路の回路図である。
【図１２】図１１の回路の簡略化した等価的な回路図である。
【図１３】電源の波形を表すグラフである。
【図１４】第１のモードで動作するように設定された、本発明に従った調光装置システムの概略的な図である。
【図１５】第２のモードで動作するように設定された、本発明に従った調光装置システムの概略的な図である。
【符号の説明】
【００３６】
１０    本発明の調光装置システム
１２    主制御装置
１４    電源ボックス
１６    調光装置
１８，２０  電源ボックス
２４    受信用窓
２６    アクチュエーター
２８    ＬＥＤの配列
３０，３４  アクチュエーター
３４    プリセットアクチュエーター
３６    強度用アクチュエーター
３８    ＬＥＤ表示器
４０    受信用窓
４２，４４  トラベラーワイヤ
４６    送信機
４７    障壁
４８    筐体
５０    導電性端子
５２    脚部
５４    導電性リード
５６    プリント回路基板
５８Ａ−５８Ｄ  ＬＥＤ
６０    ブラケット
６２    裏面カバー
６４    支持部分
６６    スロット
６８    タブ
７０    第１クリップ
７４    第２クリップ
７６    チャネル部
７８    拡張部分
８０    ヨーク部（くびき部）
８２    ヨークの端部
８６    位置付け用ポスト
８７    位置付け用穴
８８    へこみ部
８９    リブ
９０    上部
９２    第１脚部
９４    第２脚部
１００  送信機用の電源回路
１０２  電源コンデンサー
１０４  電圧調整器
１０６  ＬＥＤドライバ
１０８  フィルター回路
１１０  フィルター抵抗器
１１２  フィルターコンデンサー
１１４  ダイオード
【国際公開パンフレット】
2004538611.tif 000003
2004538611.tif 000004
2004538611.tif 000005
2004538611.tif 000006
2004538611.tif 000007
2004538611.tif 000008
2004538611.tif 000009
2004538611.tif 000010
2004538611.tif 000011
2004538611.tif 000012
2004538611.tif 000013
2004538611.tif 000014
2004538611.tif 000015
2004538611.tif 000016
2004538611.tif 000017
2004538611.tif 000018
2004538611.tif 000019
2004538611.tif 000020
2004538611.tif 000021
2004538611.tif 000022
2004538611.tif 000023
2004538611.tif 000024
2004538611.tif 000025
2004538611.tif 000026
2004538611.tif 000027
2004538611.tif 000028
2004538611.tif 000029
2004538611.tif 000030
2004538611.tif 000031
【国際調査報告】
2004538611.tif 000032
2004538611.tif 000033